(57)【特許請求の範囲】
【請求項１】
沈殿池内に配設される傾斜板に、着脱自在に取り付けられるべき傾斜板支持具であって、該傾斜板支持具が、
傾斜板支持具本体と、
該本体の一方の側に前記本体と一体的に設けられる、傾斜板を沈殿池内の支持棒に支持するためのフック部と、
前記本体の他方の側に前記本体と一体的に設けられ、前記傾斜板支持具を傾斜板に掛止するための掛止部とからなり、
前記掛止部が、
前記傾斜板に穿設された掛止用孔を介して掛止される掛止突起と、
前記掛止突起が前記掛止用孔に掛止されるときに、ばね付勢により傾斜板支持具の外れを防止する板バネとからなり、前記板バネが、前記掛止突起とは別の位置に設けられ、前記板バネが、前記傾斜板方向に付勢されるように構成され、かつ前記傾斜板支持具を前記傾斜板に取り付けたときに、前記板バネの自由端が、前記掛止用孔に嵌め込まれるように構成されてなることを特徴とする傾斜板支持具。
【請求項２】
前記掛止突起が、前記本体から延び、前記傾斜板の厚さと略同一の高さを有する首部と、該首部から延び、前記首部より幅広に設けられた幅広部とからなることを特徴とする請求項１記載の傾斜板支持具。
【請求項３】
請求項１または２記載の傾斜板支持具と、該傾斜板支持具が取り付けられた傾斜板とからなることを特徴とする傾斜板支持構造。
【請求項４】
前記傾斜板に、掛止用孔が設けられ、前記掛止用孔が、
前記掛止突起を差し込むための、前記掛止突起の幅より幅が広い差込開口部と、
前記掛止突起がスライド移動するための幅狭のスリット部とからなることを特徴とする請求項３記載の傾斜板支持構造。
【請求項５】
前記傾斜板に、前記傾斜板の垂直方向に沿って複数の溝状のリブが、互いに平行に設けられ、該溝状のリブに前記掛止用孔が設けられてなることを特徴とする請求項３または４記載の傾斜板支持構造。
【請求項６】
前記傾斜板が、前記リブの窪んだ部分を有する面が下面側となり、前記リブにより、前記傾斜板の平板状の部分から突出する部分を有する面が上面側となるように配設され、
前記リブにより窪んだ部分に前記傾斜板支持具が取り付けられて、前記傾斜板の平板状の部分と前記傾斜板を支持する支持棒とが接触するように構成された請求項５記載の傾斜板支持構造。
【発明の詳細な説明】
【技術分野】
【０００１】
本発明は、傾斜板支持具および傾斜板支持具を用いた傾斜板支持構造に関する。
【背景技術】
【０００２】
従来から、浄水場などに設けられる固液分離装置として、特許文献１に示されるような傾斜板を用いた固液分離装置が用いられている。図１１〜１２に示されるように、固液分離装置１００は、沈殿池Ａ内に設けられた架枠Ｂに多数の傾斜板１０１が一段または多段に設けられ、汚物を含む汚水が、傾斜板１０１に沿って下降する間に固形汚物の沈殿が促進され、固形汚物が分離された清浄水は、傾斜板の背面に沿って上昇することにより、清浄水と固形汚物の再撹乱が防止され、自然沈降法による場合に比べて分離効率が向上する。
【０００３】
この固液分離装置に用いられる傾斜板１０１は、図１１〜１３に示されるように、架枠Ｂに取り付けられた支持棒１０２に、傾斜板１０１に一体的に形成されたフック１０３により、吊下げられている。図１１に示されるようにフック１０３は、略長方形状の傾斜板１０１の四隅近傍にそれぞれ設けられており、このフック１０３を備えた傾斜板１０１は、工場等で真空成型により、フック１０３が傾斜板１０１に一体成型され、大量生産される。
【先行技術文献】
【特許文献】
【０００４】
【特許文献１】実公昭６３−７２８２号公報
【発明の概要】
【発明が解決しようとする課題】
【０００５】
しかしながら、図１２に示されるように、沈殿池Ａの端部に設けられる傾斜板１０１ａは、沈殿池Ａの中央部に設けられる傾斜板１０１ｂよりも短いものを設置する必要がある。この場合、傾斜板１０１ｂを、現場でカットすることにより設置することもできるが、傾斜板１０１ｂをカットした場合、傾斜板１０１ｂの上部または下部のフック１０３もカットされてしまうため、沈殿池Ａの端部において、支持棒１０２に取り付けることができないという問題がある。したがって、従来は、傾斜板１０１ａのために、別途小さい傾斜板１０１ａ用の金型を用意する必要があり、コストがかかってしまうという問題があった。
【０００６】
また、沈殿池ごとに図１２に示す架枠Ｂの垂直方向の間隔Ｌは、現場ごとによって変わることがあり、ある沈殿池用（たとえばＬ＝２ｍ）に一つの金型で製造された傾斜板１０１は、Ｌ２が異なる他の沈殿池（たとえばＬ＝１．５ｍ）では用いることができない。すなわち、架枠Ｂの垂直方向の間隔Ｌとフック１０３間の距離（Ｌ２）とは比例関係にあり（三平方の定理）、Ｌが変わると、フック１０３間の距離も変わるので、同じ金型で製造された傾斜板１０１を複数の現場で共通して用いることができないという問題がある。
【０００７】
そこで、本発明は、上記問題点に鑑みて、沈殿池の深さ、要求処理能力、配設位置等に起因して、傾斜板の大きさや、傾斜板のフック間の距離が変わっても、同一の金型を用いて形成された傾斜板を用いることを可能とする、新規な傾斜板支持具および当該傾斜板支持具を用いた傾斜板支持構造の提供を目的とする。
【課題を解決するための手段】
【０００８】
本発明の傾斜板支持具は、沈殿池内に配設される傾斜板に、着脱自在に取り付けられるべき傾斜板支持具であって、該傾斜板支持具が、傾斜板支持具本体と、該本体の一方の側に前記本体と一体的に設けられる、傾斜板を沈殿池内の支持棒に支持するためのフック部と、前記本体の他方の側に前記本体と一体的に設けられ、前記傾斜板支持具を傾斜板に掛止するための掛止部とからなり、前記掛止部が、前記傾斜板に穿設された掛止用孔を介して掛止される掛止突起と、前記掛止突起が前記掛止用孔に掛止されるときに、ばね付勢により傾斜板支持具の外れを防止する板バネとからなり、前記板バネが、前記掛止突起とは別の位置に設けられ、前記板バネが、前記傾斜板方向に付勢されるように構成され、かつ前記傾斜板支持具を前記傾斜板に取り付けたときに、前記板バネの自由端が、前記掛止用孔に嵌め込まれるように構成されてなることを特徴とする。
【０００９】
また、前記掛止突起が、前記本体から延び、前記傾斜板の厚さと略同一の高さを有する首部と、該首部から延び、前記首部より幅広に設けられた幅広部とからなることが好ましい。
【００１１】
また、本発明の傾斜板支持構造は、前記傾斜板支持具と、該傾斜板支持具が取り付けられた傾斜板とからなることを特徴とする。
【００１２】
また、前記傾斜板に、掛止用孔が設けられ、前記掛止用孔が、前記掛止突起を差し込むための、前記掛止突起の幅より幅が広い差込開口部と、前記掛止突起がスライド移動するための幅狭のスリット部とからなることが好ましい。
【００１３】
また、前記傾斜板に、前記傾斜板の垂直方向に沿って複数の溝状のリブが、互いに平行に設けられ、該溝状のリブに前記掛止用孔が設けられてなることが好ましい。また、前記傾斜板が、前記リブの窪んだ部分を有する面が下面側となり、前記リブにより、前記傾斜板の平板状の部分から突出する部分を有する面が上面側となるように配設され、前記リブにより窪んだ部分に前記傾斜板支持具が取り付けられて、前記傾斜板の平板状の部分と前記傾斜板を支持する支持棒とが接触するように構成することが好ましい。
【発明の効果】
【００１４】
本発明によれば、簡単な操作で傾斜板に傾斜板支持具を取り付けることができるので、現場での作業が容易である。また、沈殿池の端部に設けられた短い傾斜板、または沈殿池の中央部の長い傾斜板のいずれにも簡単に取り付けることができるので、傾斜板の大きさごとに金型を起こす必要がない。また、傾斜板のフック間の距離、傾斜板が設置される沈殿池の架枠間の垂直方向の距離が変わる場合であっても、本発明の傾斜板支持具を用いることにより、同一の傾斜板を用いることができる。
【図面の簡単な説明】
【００１５】
【図１】本発明の傾斜板支持具が、傾斜板に取り付けられた傾斜板保持構造を示す図である。
【図２】本発明の傾斜板支持具が取り付けられた傾斜板の傾斜および傾斜板の配設ピッチを説明するための図である。
【図３】本発明の傾斜板支持具を説明するための斜視図である。
【図４】本発明の傾斜板支持具を説明するための側面図である。
【図５】本発明の傾斜板支持具が取り付けられる傾斜板を説明するための図である。
【図６】図５における傾斜板の掛止用孔の拡大図である。
【図７】（ａ）〜（ｃ）は、本発明の傾斜板支持具が傾斜板に取り付けられる状態を説明するための図である。
【図８】（ａ）〜（ｃ）は、本発明の傾斜板支持具が傾斜板に取り付けられる状態を説明するための図である。
【図９】（ａ）〜（ｃ）は、本発明の傾斜板支持具に設けられた補強リブを説明するための図である。
【図１０】本発明の傾斜板支持具に設けられた補強リブを説明するための図である。
【図１１】従来の傾斜板保持具および傾斜板保持構造を示す図である。
【図１２】従来の傾斜板保持具および傾斜板保持構造を示す図である。
【図１３】従来の傾斜板保持具および傾斜板保持構造を示す図である。
【発明を実施するための形態】
【００１６】
以下、添付図面を参照し、本発明の傾斜板支持具および傾斜板支持具を用いた傾斜板支持構造を詳細に説明する。
【００１７】
図１に示されるように、本発明の傾斜板支持具１は、傾斜板２の四隅に着脱可能に取り付けられている。傾斜板２に取り付けられた傾斜板支持具１を介して、傾斜板２は、沈殿池（図示せず）内に互いに平行に設けられた上下一対の支持フレーム３１ａ、３１ｂ、３２ａ、３２ｂを連結する複数の支持棒４に係止される。なお、「傾斜板」とは、浄水場、下水処理場などの水処理が必要な施設において、懸濁物質を効率良く沈降させるために、沈殿池内に、図１に示されるように傾斜した状態で配設される平板をいうものである。傾斜板２の材質は、特に限定されるものではないが、熱可塑性樹脂、たとえばポリ塩化ビニル等のビニル系樹脂、ポリカーボネート等のカーボネート系樹脂、ポリエチレンテレフタレート等のエステル系樹脂、ポリメチルメタクリレート等のアクリル系樹脂、ポリプロピレンやポリエチレン等のオレフィン系樹脂、ＡＢＳ等のスチレン系樹脂あるいはこれらの共重合体や混合樹脂であってもよいし、エポキシ樹脂、不飽和ポリエステル樹脂等の熱硬化性樹脂であってもよいし、金属、セラミック、木材、ゴム等であってもよい。
【００１８】
また、傾斜板２は、上下方向の剛性を高め、傾斜板２自体の撓みをおさえるために、図１に示す上下方向Ｘに沿ってリブ２１が設けられたものであってもよい。図１では、リブ２１は、上下方向Ｘに沿った溝状を呈している。
【００１９】
図２に示すように、傾斜板２は、上下の支持棒４により、斜めに支持されており、たとえば、傾斜板２と下側の支持フレーム３１ｂ、３２ｂとの角度θが、５０〜７０°、より好ましくは６０°になるように支持され、傾斜板２と傾斜板２との間のピッチＬ３が、７０〜１２０ｍｍとなるように配設されている。この傾斜板２の配設角度θおよびピッチＬは、傾斜板２が配設される現場ごとに変わり、適宜変更することができる。
【００２０】
つぎに、図３により、傾斜板支持具１の構造を説明する。図３に示されるように、傾斜板支持具１は、傾斜板支持具本体（以下、単に本体という）１１と、本体１１の一方の側に一体的に突設されるフック部１２と、本体１１の他方の側、すなわち傾斜板２への取付時に傾斜板２に対向する側に、本体１１と一体的に設けられる傾斜板支持具１を傾斜板２に掛止するための掛止部１３とから構成されている。傾斜板支持具１は、傾斜板２と同様の材質からなり、その材質は、適宜選択可能である。
【００２１】
掛止部１３は、図３および４に示されるように、本体１１から突出した掛止突起１４と、本体１１と一体的に設けられ、掛止突起１４が傾斜板２に掛止されるときに、ばね付勢により傾斜板支持具１の外れを防止する板バネ１５とから構成されている。
【００２２】
本体１１自体は、全体的に偏平な形状を呈しており、その高さＨは、５〜１５ｍｍ程度であり、傾斜板２に設けられたリブ２１の深さ（高さ）と略同一である。また、図４に示されるように、本体１１には、板バネ１５が、本体１１側に付勢されたときに板バネ１５が逃げることができるように、空洞部１１ａが設けられている。
【００２３】
本体１１から一体的に突設されるフック部１２は、沈殿池内に配設された支持棒４に取り付けた際に、外れにくくするための係合突部１２ａ、１２ｂが設けられている。また、フック部１２の形状は、支持棒４に取り付けることができれば、どのような形状であってもよい。
【００２４】
掛止突起１４は、本体１１から延び、傾斜板２の厚さと略同一または少し高い高さを有する首部１４ａと、首部１４ａより幅広に設けられた幅広部１４ｂとから構成されている。首部１４ａは、図３および４では、細長い柱状を呈しているが、円柱状や断面が正方形の正四角柱等他の形状であってもよい。幅広部１４ｂは、図３および４に示されるように、傾斜板支持具１が傾斜板２から外れないように、首部１４ａよりも幅広の薄板状の部材となっているが、その形状は特に限定されることはなく、図３に示すように略矩形状のものとすることもできるし、円形のものであってもよい。幅広部１４ｂの厚さは、突出部分を減らすために、１〜３ｍｍ程度とすることができるが、この数値に限られるものではなく、高強度の材料を用いることにより、さらに薄くすることも可能である。幅広部１４ｂが薄板状を呈することにより、傾斜板支持具１を傾斜板２に取り付けたときに、傾斜板２からの突出部分がほとんど無くなり、傾斜板２を伝うフロック等の固形物が、傾斜板２に堆積しにくくなる。通常傾斜板２に堆積したフロックは傾斜板上面（図２に参照符号ＵＳで示す側の面）を伝って沈殿池の底に落下するが、突出部分が大きいとフロックが堆積し、処理能力が低下しやすいため、薄板状の幅広部１４ｂにより、処理能力の低下を防ぐことができる。
【００２５】
板バネ１５は、図３および４では、本体１１から、細長い本体１１の長手方向（すなわち、本体１が傾斜板２に取り付けられたときに、傾斜板２の上下方向Ｘ）に沿って延びる板バネとして示されている。板バネ１５の自由端１５ｂは、本体１１との連結部１５ａを中心にして図４の紙面上下方向に旋回が可能である。板バネ１５の自由端１５ｂ側には、板バネ１５が付勢されていない状態で、本体１１の一方の面（掛止突起１４が設けられている方の面）から本体１１の外側に突出している突出部１５ｃが設けられている。
【００２６】
上記傾斜板支持具１とともに用いられる傾斜板２の一例を図５に示す。図５に示されるように、傾斜板２は、複数の溝状のリブ２１と、溝状のリブ２１の間に位置する平板状の部分２２とにより構成されている。図５においては、溝状のリブ２１に傾斜板支持具１を固定するための掛止用孔２３が設けられているが、当該掛止用孔２３は、平板状の部分２２に設けることも可能である。
【００２７】
図６は、図５にＹで示す掛止用孔２３の拡大図であり、掛止用孔２３は、図６に示されるように、掛止突起１４を差し込むための、掛止突起１４の幅広部１４ｂより幅が広く、幅広部１４ｂ全体を貫通させることができる差込開口部２３ａと、掛止突起１４の幅広部１４ｂが差込開口部２３ａに差し込まれたあと、掛止突起１４の首部１４ａをスライドさせるための幅狭のスリット部２３ｂとから構成されている。差込開口部２３ａは、図５および６においては、略正方形状の開口部が図示されているが、掛止突起１４の幅広部１４ｂ全体を差し込むことができる形状であれば、特に限定されるものではなく、その大きさも幅広部１４ｂより大きければよく、たとえば略正方形状の幅広部を差し込むことができる、円形や長方形状の開口部であってもよい。図５においては、掛止用孔２３の傾斜板２の上部側（図２中、紙面上側）に、幅狭のスリット部２３ｂが位置し、傾斜板２の下部側（図２中、紙面下側）に差込開口部２３ａが連続して形成される「凸」字状の掛止用孔２３が形成されている。スリット部２３ｂを傾斜板２の上部側に形成することにより、スリット部２３ｂの上端縁と掛止突起１４の首部１４ａが当接し、傾斜板２の荷重を支持することができる（スリット部２３ｂを差込開口部２３ａよりも下側に形成すると、板バネ１５の突出部１５ｃのみにより傾斜板２の荷重を支持しなければならず、板バネ１５が変形し、支持具１が外れるおそれがある）。
【００２８】
また、図５および６では、傾斜板支持具１の設置箇所につき、２つの掛止用孔２３が設けられているが、傾斜板支持具１の掛止部１３の数に合わせて変更が可能であり、たとえば、図３に示す掛止部１３を１つ（掛止突起１４と板バネ１５が１つずつ）の場合は、掛止用孔２３を１つとすることもできるし、１つの傾斜板支持具１に掛止部１３を３つ設けた場合は、掛止用孔２３を３つにすればよい。
【００２９】
また、図５では、傾斜板支持具１を掛止する位置が、傾斜板２の四隅であるが、傾斜板支持具１を掛止する位置を増やすことも可能であり、四隅に限られるものではない。
【００３０】
つぎに、図７および８を用いて、本発明の傾斜板支持具１の傾斜板２への取り付け方法について説明する。
【００３１】
図７（ａ）および図８（ａ）に示される状態は、傾斜板２への傾斜板支持具１の取り付け前の状態であり、傾斜板支持具１を傾斜板に取り付ける場合は、まず傾斜板２の掛止用孔２３の差込開口部２３ａに対応する位置に、傾斜板支持具１の掛止突起１４を位置づける（図７（ａ）および図８（ａ）参照）。
【００３２】
この状態から、傾斜板支持具１を傾斜板２側に移動させると、掛止突起１４が差込開口部２３ａに差し込まれると同時に、傾斜板２と板バネ１５の自由端１５ｂが当接し、当接後も傾斜板支持具１を傾斜板２側に移動させると、自由端１５ｂが傾斜板２により押圧され、本体１１の空洞部１１ａ側（紙面上方側）に弾性変形される（図７（ｂ）および図８（ｂ）参照）。
【００３３】
この状態からさらに差込開口部２３ａに差し込まれた掛止突起１４を、掛止用孔２３のスリット部２３ｂ側にスライドさせ、掛止突起１４の首部１４ａが、スリット部２３ｂ内をスライドすると、板バネ１５の自由端１５ｂが、弾性変形され、かつ傾斜板２方向への付勢力を持ったままスライドし、差込開口部２３ａ上に自由端１５ｂが位置すると、弾性変形された板バネ１５は、傾斜板２方向への付勢力により自由端１５ｂが、差込開口部２３ａ内に入り込み、もとの状態（弾性変形していない状態）に戻り、自由端１５ｂの突出部１５ｃが、差込開口部２３ａに係止され（図７（ｃ）および図８（ｃ）参照）、これにより傾斜板支持具１が傾斜板２に取り付けられる。
【００３４】
また、傾斜板支持具１を傾斜板２から取り外す場合は、上記した工程と逆の工程により簡単に取り外すことが可能である。すなわち、突出部１５ｃを押圧しながら、係止突起１４をスライド移動させ、係止突起１４を差込開口部２３ａから取り外すことにより、簡単に分離が可能である。
【００３５】
上記したように、本発明の傾斜板支持具１を用いることにより、傾斜板２への取り付けが容易となる。また、支持棒４に連結されるフックを、傾斜板２と一体成型していないため、現場または工場等で傾斜板２をカットして、カット後に傾斜板２に掛止用孔を穿設し、傾斜板支持具１を取り付けることにより、傾斜板２を支持棒４に取り付けることが可能である。したがって、長い傾斜板、短い傾斜板を用意する必要がなく、大きさに応じた型を起こす必要がないため、大幅にコストを削減することができる。
【００３６】
また、フックと傾斜板２とを一体成型していないため、傾斜板２が設置される沈殿池が変わったりして、支持フレーム間の距離が変わることにより、必要な傾斜板２のフック間の距離が変動する場合であっても、容易に傾斜板支持具１の取り付け位置を変えることができるので、傾斜板２のフック間の距離に応じた型を起こす必要もなく、大幅にコストを削減することができる。
【００３７】
また、傾斜板支持具１を、溝状のリブ内に設けられた掛止用孔を介して傾斜板２に取り付け、本体１１の高さを溝状のリブの高さと合わせる場合、傾斜板支持具１のうち、傾斜板２の平板状の部分から突出する部分がフック部だけになるので、沈殿池内における水流を妨げる突出部分を最小限に減らし、水流の抵抗を最小限に減らすことができるうえ、フロックの堆積を最小限に減らすことができる。通常傾斜板２に堆積したフロックは傾斜板上面を伝って沈殿池の底に落下するが、突出部分が大きいとフロックが堆積し、処理能力が低下しやすいため、薄板状の幅広部１４ｂにより、処理能力の低下を防ぐことができる。
【００３８】
また、傾斜板支持具１を、傾斜板２に取り付けた際に、掛止突起１４の幅広部１４ｂがほとんど傾斜板２の表面から突出しない構成になっており、かつ板バネ１５の突出部１５ｃが傾斜板１５からほとんど突出しないので、沈殿池内のフロックが、傾斜板支持具１においてほとんど堆積しない。
【００３９】
また、傾斜板２の平板状の部分２２からリブ２１の突出する側を、傾斜板２の上面ＵＳ側とし、溝状に窪んだ部分を傾斜板２の下側とするように傾斜板２を配設することにより、図１に示されるように、傾斜板２の平板状の部分２２と支持棒４とが当接するため、従来よりも支持棒４と傾斜板２との接触面積を増やすことができるため、傾斜板２全体の強度を高めることができる。
【００４０】
本発明の傾斜板支持具１は、上記したように傾斜板２に強固に固定されるものであるが、さらに図９に示されるようなテーパ部５を傾斜板支持具１に設けることにより、さらに傾斜板２から傾斜板支持具１を外れにくくすることができる。図９（ａ）〜（ｃ）に示される傾斜板支持具１は、テーパ部５が設けられる以外は、図３等に示す傾斜板支持具１と同様であり、テーパ部５以外の説明は省略する。
【００４１】
図９（ａ）〜（ｃ）に示すように、傾斜板支持具１の本体１１は、本体１１の長手方向に沿って、フック部１２と本体１１との接合部側に延長された延長部１６を有しており、当該延長部１６の自由端側から、フック部１２の支持棒４が支持される湾曲部分１２ｃにわたって、延長部１６の自由端側が低く、フック部１２の湾曲部分１２ｃ側が高くなるように形成されたテーパ部５が設けられている。図９においては、テーパ部５は、三角形状を呈したプレート状を呈し、平板状の延長部１６に対して垂直に配設されている。なお、図９において、フック部１２の湾曲部分１２ｃは、支持棒４が支持される部分が湾曲するように形成されているが、「湾曲部分」という用語は、フック部１２の支持棒４が支持される部分の外側部分を平坦な面としたもの等も含む概念であり、当該平坦な外側の面にテーパ部５を設けることも可能である。また、テーパ部５は、傾斜板支持具１を側面から見たときに直線状になっているが、曲線状のテーパ部であってもよく、さらに、テーパ部５全体が曲面状に形成されたものであってもよい。
【００４２】
つぎに、上記テーパ部５の機能について、図１０を用いて説明する。図１０に示されるように、傾斜板２が支持される支持棒４に、傾斜板２を取り付け、または取り外しする際に、傾斜板２と支持棒４とは、図１０のような関係となる。このときに傾斜板２を図１０中上方に移動させると、テーパ部５が形成されていない場合、支持棒４は、傾斜板支持具１の湾曲部分１２ｃに当接し、傾斜板支持具１に直接下向きの応力が加わるため、傾斜板支持具１が傾斜板２から外れる方向の力が加わる。テーパ部５を傾斜板支持具１のフック部１２の湾曲部分１２ｃを一部または全部覆う位置に設けることにより、支持棒４による力を受け流すことができるので、傾斜板支持具１が傾斜板２から外れる危険性をさらに低くすることができる。テーパ部５の形状は、図１２に示す形状に限られることはなく、フック部１２の湾曲部分１２ｃに当接する支持棒４からの傾斜板２に平行に加わる力を、他の方向に向け、傾斜板２に平行に加わる分力を減らすことができる形状であれば、特に限定されるものではない。たとえば、フック部１２の幅方向全体にわたって、テーパ部５が設けられてもよい。すなわち、フック部１２の湾曲部分１２ｃから傾斜板支持具１の長手方向に沿って延びるテーパ部５を有し、テーパ部５が、湾曲部分１２ｃ側が高く、湾曲部分１２ｃから離れるにしたがい高さが低くなるようにテーパ部が形成されていればよい。また、テーパ部５により、フック部１２の強度自体を高めることができる。
【符号の説明】
【００４３】
１  傾斜板支持具
１１  本体
１１ａ  空洞部
１２  フック部
１２ａ、１２ｂ  係合突部
１３  掛止部
１４  掛止突起
１４ａ  首部
１４ｂ  幅広部
１５  板バネ
１５ａ  連結部
１５ｂ  自由端
１５ｃ  突出部
２  傾斜板
２１  リブ
２２  平板状の部分
２３  掛止用孔
２３ａ  差込開口部
２３ｂ  スリット部
３１ａ、３１ｂ、３２ａ、３２ｂ  支持フレーム
４  支持棒
５  テーパ部
Ａ  沈殿池
Ｂ  架枠
【図１】
0005174881.tif 000002
【図２】
0005174881.tif 000003
【図３】
0005174881.tif 000004
【図４】
0005174881.tif 000005
【図５】
0005174881.tif 000006
【図６】
0005174881.tif 000007
【図７】
0005174881.tif 000008
【図８】
0005174881.tif 000009
【図９】
0005174881.tif 000010
【図１０】
0005174881.tif 000011
【図１１】
0005174881.tif 000012
【図１２】
0005174881.tif 000013
【図１３】
0005174881.tif 000014